(57)【要約】【課題】軽量化を図ることが可能で、且つ、均斉度の向上を図ることが可能な表示装置を提供する。【解決手段】表示装置１０ａは、器具本体１、表示ユニット２、ＬＥＤユニット５及び反射板６ａを備える。ＬＥＤユニット５は、器具本体１の第１側壁１３と第２側壁１４とに直交する第１方向において、第１側壁１３側に配置される。反射板６ａは、第１方向において、第２側壁１４側に配置される。表示装置１０ａは、ＬＥＤユニット５からの光が表示ユニット２の第１表示パネル４ａへダイレクトに入射しないようにＬＥＤユニット５からの光を遮光する第１遮光板７ａを備える。第１遮光板７ａは、ＬＥＤユニット５の近くに配置され、ＬＥＤユニット５からの光を反射する。第１遮光板７ａは、第１遮光板７ａの幅方向の第１端部がＬＥＤユニット５の前方に配置され、且つ、第２端部がＬＥＤユニット５の側方に配置されており、第１端部に凹凸７２ａが形成されている。【選択図】図１
2015132769.tif 000002
【特許請求の範囲】
【請求項１】
矩形箱状に形成された器具本体と、前記器具本体に保持された表示ユニットと、前記器具本体内に収納されたＬＥＤユニットと、前記器具本体内に収納され前記ＬＥＤユニットからの光を前記表示ユニット側へ反射する反射板と、を備え、
前記器具本体は、前記器具本体の厚さ方向に直交する第１壁に第１開口部を有し、
前記表示ユニットは、前記器具本体の前記第１開口部を塞ぐように配置され、
前記表示ユニットは、矩形枠状に形成された枠体と、前記枠体に保持された矩形板状の第１表示パネルと、を備え、前記器具本体の前記第１開口部を塞ぐ第１位置と前記第１開口部を開放する第２位置との間で開閉自在であり、
前記第１表示パネルは、透光性を有し、
前記ＬＥＤユニットは、長尺の板状に形成された実装基板と、前記実装基板の長手方向に沿って配列され前記実装基板に実装された複数のＬＥＤと、を備え、
前記ＬＥＤユニットは、前記器具本体の互いに対向する第１側壁と第２側壁とに直交する第１方向において、前記第１側壁側で、前記第１方向と前記器具本体の厚さ方向である第２方向とに直交する第３方向に沿って配置され、
前記反射板は、前記第１方向において、前記第２側壁側で前記第３方向に沿って配置され、
前記ＬＥＤユニットからの光が前記第１表示パネルへダイレクトに入射しないように前記ＬＥＤユニットからの光を遮光する第１遮光板を更に備え、
前記第１遮光板は、長尺の板状に形成され、前記器具本体内において前記ＬＥＤユニットの近くで前記第３方向に沿って配置され、
前記第１遮光板は、前記ＬＥＤユニットからの光を反射するように構成され、
前記第１遮光板は、前記第１遮光板の幅方向の第１端部が前記ＬＥＤユニットの前方に配置され、且つ、第２端部が前記ＬＥＤユニットの側方に配置されており、
前記第１遮光板の前記第１端部に凹凸が形成されている、
ことを特徴とする表示装置。
【請求項２】
前記反射板は、前記ＬＥＤユニットからの光を反射する反射面が、拡散反射性を有するように形成されている、
ことを特徴とする請求項１記載の表示装置。
【請求項３】
前記器具本体は、前記第１壁に対向する第２壁の一部を開放する矩形状の第２開口部を有し、
前記第２開口部を塞ぐように前記器具本体内に収納された矩形板状の第２表示パネルと、前記ＬＥＤユニットからの光が前記第２表示パネルへダイレクトに入射しないように前記ＬＥＤユニットからの光を遮光する第２遮光板と、を備え、
前記第２表示パネルは、透光性を有し、
前記反射板は、前記ＬＥＤユニットからの光を前記第１表示パネル側と前記第２表示パネル側とに反射するように構成され、
前記第２遮光板は、長尺の板状に形成され、前記器具本体内において前記ＬＥＤユニットの近くで前記第３方向に沿って配置され、
前記第２遮光板は、前記ＬＥＤユニットからの光を反射するように構成され、
前記第２遮光板は、前記第２遮光板の幅方向の第１端部が前記ＬＥＤユニットの前方に配置され、且つ、第２端部が前記ＬＥＤユニットの側方に配置されており、
前記第２遮光板の前記第１端部に凹凸が形成されている、
ことを特徴とする請求項１又は２記載の表示装置。
【請求項４】
前記反射板は、断面Ｖ字状もしくは断面円弧状に形成されている、
ことを特徴とする請求項３記載の表示装置。
【請求項５】
前記表示ユニットは、前記器具本体の前記第１開口部を塞ぐ第１位置と前記第１開口部を開放する第２位置との間で開閉自在である、
ことを特徴とする請求項１乃至４のいずれか一項に記載の表示装置。
【発明の詳細な説明】
【技術分野】
【０００１】
本発明は、標識灯、誘導灯等として用いる表示装置に関するものである。
【背景技術】
【０００２】
従来、表示装置としては、図２５及び２６に示す構成の表示装置１０１が提案されている（特許文献１）。
【０００３】
表示装置１０１は、透光性を有する表示板１１０と、光源装置１２０と、収納枠１３０と、を有する。表示板１１０は、標識や案内等の表示部が設けられている。表示装置１０１は、収納枠１３０に、光源装置１２０が収納されている。収納枠１３０は、表示板１１０の表示部を外部から視認するための開口部１３０ａが形成されている。
【０００４】
表示板１１０は、表示部が収納枠１３０の外部から見えるように収納枠１３０の開口部１３０ａに配設され、収納枠１３０に螺子等を用いて固定されている。
【０００５】
光源装置１２０は、図２７に示すように、略矩形の導光板１２１と、複数のＬＥＤ１２２と、光源保持体１２３と、回路基板１２４と、を備えている。導光板１２１は、表示板１１０の背面側に所定の間隔を設けて配設されている。複数のＬＥＤ１２２は、導光板１２１の端面に沿って所定の間隔で配設され、当該端面に向けて光を照射する。
【０００６】
導光板１２１は、アクリル樹脂等の合成樹脂で成形された略矩形の板状部材の背面に、複数の点状のグラデーションパターンを形成した光拡散体と、この光拡散体を被覆する略矩形の反射シートと、が設けられている。
【０００７】
表示装置１０１は、光源装置１２０を収納する収納ケース１２６を備え、収納ケース１２６を収納枠１３０に収納してある。収納ケース１２６は、光源装置１２０の全体を被包する箱体である。表示装置１０１は、収納ケース１２６を乳白半透明にしてある。
【先行技術文献】
【特許文献】
【０００８】
【特許文献１】特開２００４−３６１８００号公報
【発明の概要】
【発明が解決しようとする課題】
【０００９】
表示装置の分野においては、軽量化及び均斉度の向上が望まれている。
【００１０】
本発明は上記事由に鑑みて為されたものであり、その目的は、軽量化を図ることが可能で、且つ、均斉度の向上を図ることが可能な表示装置を提供することにある。
【課題を解決するための手段】
【００１１】
本発明の表示装置は、矩形箱状に形成された器具本体と、前記器具本体に保持された表示ユニットと、前記器具本体内に収納されたＬＥＤユニットと、前記器具本体内に収納され前記ＬＥＤユニットからの光を前記表示ユニット側へ反射する反射板と、を備える。前記器具本体は、前記器具本体の厚さ方向に直交する第１壁に第１開口部を有する。前記表示ユニットは、前記器具本体の前記第１開口部を塞ぐように配置されている。前記表示ユニットは、矩形枠状に形成された枠体と、前記枠体に保持された矩形板状の第１表示パネルと、を備える。前記表示ユニットは、前記器具本体の前記第１開口部を塞ぐ第１位置と前記第１開口部を開放する第２位置との間で開閉自在である。前記第１表示パネルは、透光性を有する。前記ＬＥＤユニットは、長尺の板状に形成された実装基板と、前記実装基板の長手方向に沿って配列され前記実装基板に実装された複数のＬＥＤと、を備える。前記ＬＥＤユニットは、前記器具本体の互いに対向する第１側壁と第２側壁とに直交する第１方向において、前記第１側壁側で、前記第１方向と前記器具本体の厚さ方向である第２方向とに直交する第３方向に沿って配置されている。前記反射板は、前記第１方向において、前記第２側壁側で前記第３方向に沿って配置されている。本発明の表示装置は、前記ＬＥＤユニットからの光が前記第１表示パネルへダイレクトに入射しないように前記ＬＥＤユニットからの光を遮光する第１遮光板を更に備える。前記第１遮光板は、長尺の板状に形成され、前記器具本体内において前記ＬＥＤユニットの近くで前記第３方向に沿って配置されている。前記第１遮光板は、前記ＬＥＤユニットからの光を反射するように構成されている。前記第１遮光板は、前記第１遮光板の幅方向の第１端部が前記ＬＥＤユニットの前方に配置され、且つ、第２端部が前記ＬＥＤユニットの側方に配置されている。本発明の表示装置は、前記第１遮光板の前記第１端部に凹凸が形成されている。
【００１２】
この表示装置において、前記反射板は、前記ＬＥＤユニットからの光を反射する反射面が、拡散反射性を有するように形成されているのが好ましい。
【００１３】
この表示装置において、前記器具本体は、前記第１壁に対向する第２壁の一部を開放する矩形状の第２開口部を有する。この表示装置においては、前記第２開口部を塞ぐように前記器具本体内に収納された矩形板状の第２表示パネルと、前記ＬＥＤユニットからの光が前記第２表示パネルへダイレクトに入射しないように前記ＬＥＤユニットからの光を遮光する第２遮光板と、を備える。前記第２表示パネルは、透光性を有する。前記反射板は、前記ＬＥＤユニットからの光を前記第１表示パネル側と前記第２表示パネル側とに反射するように構成されている。前記第２遮光板は、長尺の板状に形成され、前記器具本体内において前記ＬＥＤユニットの近くで前記第３方向に沿って配置されている。前記第２遮光板は、前記ＬＥＤユニットからの光を反射するように構成されている。前記第２遮光板は、前記第２遮光板の幅方向の第１端部が前記ＬＥＤユニットの前方に配置され、且つ、第２端部が前記ＬＥＤユニットの側方に配置されている。この表示装置においては、前記第２遮光板の前記第１端部に凹凸が形成されているのが好ましい。
【００１４】
この表示装置において、前記反射板は、断面Ｖ字状もしくは断面円弧状に形成されているのが好ましい。
【００１５】
この表示装置において、前記表示ユニットは、前記器具本体の前記第１開口部を塞ぐ第１位置と前記第１開口部を開放する第２位置との間で開閉自在であるのが好ましい。
【発明の効果】
【００１６】
本発明の表示装置は、前記ＬＥＤユニットと、前記反射板と、を備えることにより、導光板を用いることなく、前記ＬＥＤユニットからの光が前記第１表示パネルに照射されるので、軽量化を図ることが可能である。また、本発明の表示装置は、前記第１遮光板を備え、前記第１遮光板の前記第１端部に前記凹凸が形成されていることにより、均斉度の向上を図ることが可能となる。
【図面の簡単な説明】
【００１７】
【図１】図１は、実施形態１の表示装置における光の進行経路の模式的な説明図である。
【図２】図２は、実施形態１の表示装置の概略正面図である。
【図３】図３は、実施形態１の表示装置の概略平面図である。
【図４】図４は、実施形態１の表示装置の概略側面図である。
【図５】図５は、実施形態１の表示装置の概略背面図である。
【図６】図６は、実施形態１の表示装置を示し、図２のＸ−Ｘ概略断面図である。
【図７】図７は、実施形態１の表示装置を示し、第１表示ユニットを第２位置まで開いた状態の概略断面図である。
【図８】図８は、実施形態１の表示装置における表示パネルの概略正面図である。
【図９】図９は、実施形態１の表示装置における要部正面図である。
【図１０】図１０は、実施形態１の表示装置におけるＬＥＤユニットの概略正面図である。
【図１１】図１１は、実施形態１の表示装置におけるＬＥＤユニットの概略断面図である。
【図１２】図１２は、実施形態１の表示装置におけるＬＥＤユニットの概略背面図である。
【図１３】図１３は、実施形態１の表示装置におけるＬＥＤユニットを示し、図１２のＸ−Ｘ概略断面図である。
【図１４】図１４は、実施形態１の表示装置におけるＬＥＤユニットの正面側から見た概略分解斜視図である。
【図１５】図１５は、実施形態１の表示装置におけるＬＥＤユニットの背面側から見た概略分解斜視図である。
【図１６】図１６は、実施形態１の表示装置におけるＬＥＤユニットに関し、カバーを取り外した状態の概略正面図である。
【図１７】図１７（ａ）は、実施形態１の表示装置における反射板の概略正面図である。図１７（ｂ）は、実施形態１の表示装置１における反射板の概略側面図である。
【図１８】図１８（ａ）は、実施形態１の表示装置における第１遮光板の概略正面図である。図１８（ｂ）は、実施形態１の表示装置における第１遮光板の概略側面図である。図１８（ｃ）は、実施形態１の表示装置１における第１遮光板を示し、図１８（ａ）とは異なる面を正面とした場合の概略正面図である。図１８（ｄ）は、実施形態１の表示装置における第１遮光板を示し、図１８（ａ）とは異なる面を正面とした場合の概略側面図である。
【図１９】図１９（ａ）は、実施形態１の表示装置における第２遮光板の概略正面図である。図１９（ｂ）は、実施形態１の表示装置における第２遮光板の概略側面図である。図１９（ｃ）は、実施形態１の表示装置１における第２遮光板を示し、図１９（ａ）とは異なる面を正面とした場合の概略正面図である。図１９（ｄ）は、実施形態１の表示装置における第２遮光板を示し、図１９（ａ）とは異なる面を正面とした場合の概略側面図である。
【図２０】図２０は、実施形態２の表示装置の概略断面図である。
【図２１】図２１（ａ）は、実施形態３の表示装置の概略正面図である。図２１（ｂ）は、実施形態３の表示装置の概略平面図である。図２１（ｃ）は、実施形態３の表示装置の概略側面図である。
【図２２】図２２は、実施形態３の表示装置の概略断面図である。
【図２３】図２３は、実施形態３の表示装置を示し、第１表示ユニットを第２位置まで開いた状態の概略断面図である。
【図２４】図２４（ａ）は、実施形態３の表示装置における表示パネルの概略正面図である。図２４（ｂ）は、実施形態３の表示装置における表示パネルの第１変形例の概略正面図である。図２４（ｃ）は、実施形態３の表示装置における表示パネルの第２変形例の概略正面図である。図２４（ｄ）は、実施形態３の表示装置における表示パネルの第３変形例の概略正面図である。
【図２５】図２５は、従来例の表示装置の正面図である。
【図２６】図２６は、図２５に示す表示装置のＹ−Ｙ断面図である。
【図２７】図２７は、従来例の表示装置の要部を示す正面図である。
【発明を実施するための形態】
【００１８】
以下では、本実施形態の表示装置１０ａについて図１〜１９に基づいて説明する。
【００１９】
表示装置１０ａは、矩形箱状に形成された器具本体１と、器具本体１に保持された表示ユニット２と、器具本体１内に収納されたＬＥＤユニット５と、器具本体１内に収納されＬＥＤユニット５からの光を表示ユニット２側へ反射する反射板６ａと、を備える。器具本体１は、第１壁１１に第１開口部１１ａを有する。表示ユニット２は、器具本体１の第１開口部１１ａを塞ぐように配置されている。表示ユニット２は、矩形枠状に形成された枠体３と、枠体３に保持された矩形板状の第１表示パネル４ａと、を備える。ＬＥＤユニット５は、長尺の板状に形成された実装基板５１と、実装基板５１の長手方向に沿って配列され実装基板５１に実装された複数のＬＥＤ５２と、を備える。ＬＥＤユニット５は、器具本体１の互いに対向する第１側壁１３と第２側壁１４とに直交する第１方向（図１の左右方向）において、第１側壁１３側で、第１方向と器具本体１の厚さ方向である第２方向とに直交する第３方向（図２の上下方向）に沿って配置されている。反射板６ａは、第１方向において、第２側壁１４側で第３方向に沿って配置されている。表示装置１０ａは、ＬＥＤユニット５からの光が第１表示パネル４ａへダイレクトに入射しないようにＬＥＤユニット５からの光を遮光する第１遮光板７ａを更に備える。第１遮光板７ａは、長尺の板状に形成され、器具本体１内においてＬＥＤユニット５の近くで第３方向に沿って配置されている。第１遮光板７ａは、ＬＥＤユニット５からの光を反射するように構成されている。第１遮光板７ａは、第１遮光板７ａの幅方向の第１端部がＬＥＤユニット５の前方に配置され、且つ、第２端部がＬＥＤユニット５の側方に配置されている。表示装置１０ａは、第１遮光板７ａの第１端部に凹凸７２ａが形成されている。よって、表示装置１０ａは、ＬＥＤユニット５と、反射板６ａと、を備えることにより、導光板を用いることなく、ＬＥＤユニット５からの光が第１表示パネル４ａに照射されるので、軽量化を図ることが可能である。また、表示装置１０ａは、第１遮光板７ａを備え、第１遮光板７ａの第１端部に凹凸７２ａが形成されていることにより、均斉度の向上を図ることが可能となる。均斉度とは、第１表示パネル４ａの表示面４１ａにおける輝度の均斉度を意味するが、第１表示パネル４ａの表示面４１ａにおける照度の均斉度でもよい。また、表示装置１０ａは、第１遮光板７ａの第１端部に凹凸７２ａが形成されていることにより、第１表示パネル４ａの表示面４１ａにおいてＬＥＤユニット５からの直接の光が入射する領域と入射しない領域との境界を分かりにくくすることが可能となる。
【００２０】
本明細書では、上述のように第１側壁１３と第２側壁１４とに直交する方向を第１方向と称し、器具本体１の厚さ方向を第２方向と称し、第１方向と第２方向とに直交する方向を第３方向と称する。第１方向は、器具本体１において第１側壁１３と第２側壁１４とが並ぶ方向であり、図６の左右方向である。第２方向は、器具本体１の第１壁１１と第２壁１２とに直交する方向であり、図６の上下方向である。第３方向は、図６の紙面に直交する方向である。要するに、第３方向は、図２の上下方向である。
【００２１】
表示装置１０ａは、電源ユニット８と、蓄電池９と、制御ユニット２４と、端子台２５と、遮断器２９と、が器具本体１内に収納されているのが好ましい。
【００２２】
電源ユニット８は、ＬＥＤユニット５へ電力を供給するユニットである。電源ユニット８は、電源回路を構成するための複数の回路部品を第１プリント配線板に実装した第１回路モジュールと、第１回路モジュールを収納した第１ケースと、を備えている。第１回路モジュールは、電源回路を構成するための複数の回路部品と第１プリント配線板とで電源回路が形成されている。電源回路は、外部の交流電源からの交流電圧を所定の直流電圧に変換して出力するＡＣ−ＤＣコンバータ等である。
【００２３】
端子台２５は、入力側に外部の交流電源に電気的に接続された電線が接続され、出力側に電源ユニット８及び制御ユニット２４が電線を介して接続されるように構成されている。なお、器具本体１には、交流電源からの電源ケーブルが接続される接続部２７が設けられている。
【００２４】
蓄電池９は、例えば、ニッケル水素電池により構成することができるが、これに限らず、例えば、リチウムイオン電池等を採用してもよい。
【００２５】
制御ユニット２４は、電源ユニット８からＬＥＤユニット５へ所定の電力が供給されるように電源ユニット８を制御するように構成されている。制御ユニット２４は、制御回路を構成するための複数の回路部品を第２プリント配線板に実装した第２回路モジュールと、第２回路モジュールを収納した第２ケースと、を備えている。制御ユニット２４は、制御回路を構成するための複数の回路部品と第２プリント配線板とで制御回路が形成されている。
【００２６】
表示装置１０ａは、交流電源の停電時に蓄電池９から電源ユニット８へ電力が供給されるように構成されている。
【００２７】
表示ユニット２は、器具本体１の第１開口部１１ａを塞ぐ第１位置と第１開口部１１ａを開放する第２位置との間で開閉自在であるのが好ましい。これにより、表示装置１０ａは、表示ユニット２を第２位置まで開いて第１開口部１１ａを開放することによって、作業者が第１遮光板７ａと反射板６ａとの間の空間を通して作業を行うことが可能となり、メンテナンスの作業性を向上させることが可能となる。
【００２８】
表示装置１０ａにおいて、器具本体１は、第１壁１１に対向する第２壁１２の一部を開放する矩形状の第２開口部１２ａを有する。表示装置１０ａは、第２開口部１２ａを塞ぐように器具本体１内に収納された矩形板状の第２表示パネル４ｂと、ＬＥＤユニット５からの光が第２表示パネル４ｂへダイレクトに入射しないようにＬＥＤユニット５からの光を遮光する第２遮光板７ｂと、を備える。第２遮光板７ｂは、長尺の板状に形成され、器具本体１内においてＬＥＤユニット５の近くで第３方向に沿って配置されている。第２遮光板７ｂは、ＬＥＤユニット５からの光を反射するように構成されている。第２遮光板７ｂは、第２遮光板７ｂの幅方向の第１端部がＬＥＤユニット５の前方に配置され、且つ、第２端部がＬＥＤユニット５の側方に配置されている。表示装置１０ａは、第２遮光板７ｂの第１端部に凹凸７２ｂが形成されている。よって、表示装置１０ａは、第２遮光板７ｂを備え、第２遮光板７ｂの第１端部に凹凸７２ｂが形成されていることにより、第２表示パネル４ｂの均斉度の向上を図ることが可能となる。第２表示パネル４ｂの均斉度とは、第２表示パネル４ｂの表示面４１ｂにおける輝度の均斉度を意味するが、第２表示パネル４ｂの表示面４１ｂにおける照度の均斉度でもよい。また、表示装置１０ａは、第２遮光板７ｂの第１端部に凹凸７２ｂが形成されていることにより、第２表示パネル４ｂの表示面４１ｂにおいてＬＥＤユニット５からの直接の光が入射する領域と入射しない領域との境界を分かりにくくすることが可能となる。
【００２９】
表示装置１０ａは、表示ユニット２を第２位置まで開いて第１開口部１１ａを開放することによって、第２表示パネル４ｂを交換することが可能となる。
【００３０】
第１遮光板７ａは、ＬＥＤユニット５から出て第２遮光板７ｂで１次反射された光を反射するように配置されているのが好ましい。また、第２遮光板７ｂは、ＬＥＤユニット５から出て第１遮光板７ａで１次反射された光を反射するように配置されているのが好ましい。
【００３１】
表示装置１０ａの各構成要素については、以下に、より詳細に説明する。
【００３２】
表示装置１０ａは、例えば、トンネル内の壁面に取り付けて標識灯として利用することができる。表示装置１０ａは、トンネル内の壁面に取り付けて利用するものに限らず、例えば、各種の施設の壁面等に取り付けて利用するものでもよい。なお、表示装置１０ａは、設置場所や設置形態を限定するものではなく、例えば、ポール等に支持された状態で利用できるように構成してもよい。
【００３３】
表示装置１０ａは、器具本体１の第２側壁１４に対して表示ユニット２が蝶番１５により取り付けられている。これにより、表示装置１０ａは、表示ユニット２が、器具本体１の第１壁１１の第１開口部１１ａを塞ぐ第１位置（図６参照）と第１開口部１１ａを開放する第２位置（図７参照）との間で回転できるように、器具本体１に取り付けられている。要するに、表示装置１０ａは、表示ユニット２により器具本体１の第１開口部１１ａを開閉できるように構成されている。言い換えれば、表示装置１０ａにおける表示ユニット２は、器具本体１の第１開口部１１ａを塞ぐ第１位置と第１開口部１１ａを開放する第２位置との間で開閉自在となっている。なお、表示装置１０ａにおける表示ユニット２の短手方向は、表示ユニット２が第１位置にあるときに第１方向と平行な方向である。また、表示装置１０ａは、器具本体１の第１側壁１３に、表示ユニット２を、器具本体１の第１開口部１１ａを塞いだ第１位置に保持するためのラッチ部材１６が回転自在に取り付けられている。表示ユニット２には、ラッチ部材１６が引っ掛けられるフック部材３６が取り付けられている。なお、表示装置１０ａは、蝶番１５、ラッチ部材１６及びフック部材３６それぞれを４つずつ備えているが、これらの数は特に限定するものではない。
【００３４】
蝶番１５、ラッチ部材１６及びフック部材３６の材料は、耐食性の高い材料が好ましく、ステンレス鋼が好ましい。蝶番１５、ラッチ部材１６及びフック部材３６の材料として採用するステンレス鋼としては、例えば、オーステナイト系ステンレス鋼が好ましく、ＳＵＳ３１６（１６Ｃｒ−１０Ｎｉ−２．５Ｍｏ）等を挙げることができる。
【００３５】
表示装置１０ａは、器具本体１の第１壁１１における第１開口部１１ａの周部と表示ユニット２の枠体３との間に介在するパッキン１７（図６参照）を備えているのが好ましい。パッキン１７は、矩形枠状に形成されている。パッキン１７は、ゴムの性状を有しているのが好ましい。パッキン１７は、例えば、シリコーンゴム等により形成することができる。
【００３６】
なお、表示装置１０ａは、トンネル内の煤煙や水、凍結防止剤等に起因した光学特性や電気特性の劣化を抑制するために、防噴流構造となっているのが好ましい。
【００３７】
器具本体１の材料は、耐食性の高い材料が好ましく、ステンレス鋼が好ましい。器具本体１の材料として採用するステンレス鋼としては、例えば、オーステナイト系ステンレス鋼が好ましく、ＳＵＳ３０４（１８Ｃｒ−８Ｎｉ）等を挙げることができる。
【００３８】
枠体３は、耐食性の高い材料が好ましく、ステンレス鋼が好ましい。枠体３の材料として採用するステンレス鋼としては、例えば、オーステナイト系ステンレス鋼が好ましく、ＳＵＳ３０４（１８Ｃｒ−８Ｎｉ）等を挙げることができる。
【００３９】
第１表示パネル４ａは、例えば、矩形板状の透明板の表面に、表示内容を印刷したものを用いることができる。透明板としては、強化ガラス板を採用するのが好ましい。第１表示パネル４ａにおける表示内容は、印刷により形成したものに限らず、例えば、カッティングシートを貼り付けたものでもよい。表示ユニット２は、第１表示パネル４ａの裏面に積層された、透光性の第１光拡散板２１ａを備えるのが好ましい。第１光拡散板２１ａは、例えば、乳白色のアクリル板により構成することができる。表示ユニット２は、図６に示すように、第１表示パネル４ａ及び第１光拡散板２１ａを保持する矩形枠状の保持枠２２ａを備えるのが好ましい。表示ユニット２は、枠体３の裏面に、第１取付ベース２３ａを備えるのが好ましい。表示ユニット２は、第１取付ベース２３ａに対して、保持枠２２ａが螺子２６ａにより固定されているのが好ましい。第１取付ベース２３ａの材料は、耐食性の高い材料が好ましく、ステンレス鋼が好ましい。第１取付ベース２３ａは、枠体３に対して溶接等により固定されているのが好ましい。
【００４０】
図８は、第１表示パネル４ａの表示内容の模式的な説明図である。第１表示パネル４ａの表示内容は、非常電話のピクトグラム４２及び「非常電話」の各文字４３である。第１表示パネル４ａの表示内容は、ピクトグラム４２及び各文字４３に共通の背景部分４４の色を緑色とし、ピクトグラム４２を非常電話の絵文字部分４２ａの色を黒色とし、絵文字部分以外の部分４２ｂの色を白色とし、「非常電話」の文字の色を白色としてある。なお、ピクトグラム４２や文字４３、及びそれらの色は、特に限定するものではない。
【００４１】
また、第２表示パネル４ｂは、第１表示パネル４ａと同じ構成のものを用いることができる。表示装置１０ａは、第２表示パネル４ｂの裏面に積層された、透光性の第２光拡散板２１ｂを備えるのが好ましい。第２光拡散板２１ｂは、例えば、乳白色のアクリル板により構成することができる。表示装置１０ａは、第２表示パネル４ｂ及び第２光拡散板２１ｂを保持する第２保持枠２２ｂを備えるのが好ましい。表示装置１０ａは、第２壁１２における第１壁１１側の面に、保持枠２２ｂが螺子２６ｂにより固定される第２取付ベース２３ｂを備えるのが好ましい。第２取付ベース２３ｂの材料は、耐食性の高い材料が好ましく、ステンレス鋼が好ましい。第２取付ベース２３ｂは、器具本体１に溶接等により固定されているのが好ましい。
【００４２】
表示装置１０ａは、表示装置１０ａを施工面（トンネルの壁面）に対して、第１ボルト（図示せず）と第１ナット（図示せず）と、により取り付けるための取付金具１９を備えているのが好ましい。取付金具１９は、器具本体１に固定されている。より詳しくは、取付金具１９は、器具本体１の第２側壁１４に固定されている。
【００４３】
取付金具１９は、例えば、鋼板により形成することができる。取付金具１９は、複数の第２ボルト３１と、各第２ボルト３１それぞれに嵌め合される複数の第２ナット３２と、により器具本体１に固定されているのが好ましい。取付金具１９は、器具本体１の第２側壁１４に固定される矩形状の固定片１９ａと、施工面に固定される２つの矩形状の取付片１９ｃと、固定片１９ａと各取付片１９ｃそれぞれとを連結している２つの連結片１９ｂと、を一体に備えている。各取付片１９ｃには、第１ボルトを挿通させる第１貫通孔１９ｄ（図６参照）が形成されている。固定片１９ａには、複数の第２ボルト３１それぞれが挿通される複数の第２貫通孔（図示せず）が形成されている。表示装置１０ａは、取付金具１９を２つ備えているが、取付金具１９の数を限定するものではない。
【００４４】
ＬＥＤユニット５については、図１０〜１６に基づいて説明する。
【００４５】
ＬＥＤユニット５は、図１３、１４及び１６に示すように、１つの実装基板５１に複数のＬＥＤ５２を実装したＬＥＤモジュール５０を備えている。
【００４６】
ＬＥＤユニット５は、ＬＥＤモジュール５０から放射される光の相関色温度を５０００Ｋに設定してあるが、一例であり、特に限定するものではない。
【００４７】
実装基板５１は、複数のＬＥＤ５２を実装する基板である。「実装する」とは、ＬＥＤ５２を配置して機械的に接続することと、電気的に接続すること、を含む概念である。
【００４８】
実装基板５１は、長尺の板状に形成された支持体５１ａと、支持体５１ａに支持され複数のＬＥＤ５２が電気的に接続される配線部（図示せず）と、を備える。ＬＥＤユニット５は、複数のＬＥＤ５２が直列接続された構成を有してもよいし、並列接続された構成を有してもよいし、直並列接続された構成を有してもよい。実装基板５１は、表面５１１と、裏面５１２と、を有する。ＬＥＤモジュール５０は、実装基板５１の表面５１１側に複数のＬＥＤ５２が配置されている。また、ＬＥＤモジュール５０は、実装基板５１の表面５１１側に２つのコネクタ５６が実装されている。コネクタ５６は、ＬＥＤユニット５に給電するための電線が接続された第２コネクタ（図示せず）が電気的に接続され且つ機械的に接続される。
【００４９】
支持体５１ａは、配線部を支持する機能を備えている。支持体５１ａは、各ＬＥＤ５２で発生する熱を効率良く外部に伝えるためのヒートシンク（heat sink）としての機能を備えているのが好ましい。支持体５１ａは、放熱性を高めるという観点では熱伝導性が高い材料により形成されているのが好ましい。
【００５０】
支持体５１ａは、アルミナセラミック基板により構成されている。支持体５１ａは、窒化アルミニウム基板、炭化ケイ素基板等により構成してもよい。また、支持体５１ａは、例えば、金属板の表面に適宜の材料からなる電気絶縁層を形成した構成としてもよい。
【００５１】
また、支持体５１ａは、樹脂基板により構成してもよい。この場合、支持体５１ａは、例えば、熱伝導率が１Ｗ／ｍ・Ｋ以上の樹脂基板により形成することが好ましい。このような樹脂基板の材料としては、例えば、熱伝導率が１Ｗ／ｍ・Ｋ以上となるように形成されたガラス布・ガラス不織布基材エポキシ樹脂等が挙げられる。つまり、樹脂基板の材料としては、例えば、熱伝導率が１Ｗ／ｍ・Ｋ以上となるように形成されたＣＥＭ−３（Composite epoxy material-3）を採用することができる。この場合、実装基板５１としては、例えば、パナソニック株式会社製の高熱伝導性ガラスコンポジット基板材料「ＥＣＯＯＬ（登録商標）」のＲ−１７８７（品番）等を用いることができる。
【００５２】
ＬＥＤユニット５は、ＬＥＤ５２としてＬＥＤチップを採用している。ＬＥＤチップは、例えば、青色光を放射する青色ＬＥＤチップにより構成することができる。青色ＬＥＤチップとしては、例えば、窒化ガリウム系青色ＬＥＤチップを採用することができる。ＬＥＤチップは、青色ＬＥＤチップに限らず、例えば、紫色光を放射する紫色ＬＥＤチップや、紫外光を放射する紫外ＬＥＤチップ等を採用することもできる。
【００５３】
ＬＥＤユニット５は、複数のＬＥＤ５２が、実装基板５１の表面５１１側で、実装基板５１の長手方向に平行な一つの仮想直線上に配置されているのが好ましい。ＬＥＤユニット５は、複数のＬＥＤ５２が等間隔で配列されているのが好ましい。また、ＬＥＤユニット５は、実装基板５１の表面５１１側に、複数のＬＥＤ５２の一群を覆う封止部５３を備えている。封止部５３は、上記仮想直線上に配置された全てのＬＥＤ５２を覆うライン状に形成されているのが好ましい。
【００５４】
封止部５３は、この封止部５３の長手方向に直交する断面が半円状の形状に形成されている。よって、封止部５３は、第３方向に直交する断面が半円状の形状に形成されている。封止部５３の形状は、これに限らず、例えば、第３方向に直交する断面の形状が半楕円状の形状でもよい。
【００５５】
ＬＥＤユニット５は、ＬＥＤ５２がＬＥＤチップの場合、封止部５３が可視光を透過する透光性材料と波長変換材料との混合体で形成されているのが好ましい。これにより、ＬＥＤユニット５から出る光は、ＬＥＤ５２から放射され波長変換材料により波長変換されずに封止部５３から出射する光と、波長変換材料で波長変換されて封止部５３から出射する光と、の混色光とすることができる。
【００５６】
透光性材料としては、シリコーン樹脂を用いているが、これに限らず、例えば、エポキシ樹脂、アクリル樹脂、ガラス、有機・無機ハイブリッド材料等を用いることもできる。
【００５７】
波長変換材料は、黄色蛍光体を含むのが好ましい。黄色蛍光体としては、例えば、Ｃｅ3+付活ＹＡＧ（Yttrium Aluminum Garnet）蛍光体、Ｅｕ2+付活酸窒化物蛍光体等を採用することができる。Ｃｅ3+付活ＹＡＧ蛍光体としては、例えば、Ｙ3Ａｌ5Ｏ12：Ｃｅ3+等が挙げられる。Ｅｕ2+付活酸窒化物蛍光体としては、例えば、ＳｒＳｉ2Ｏ2Ｎ2：Ｅｕ2+等が挙げられる。
【００５８】
ＬＥＤユニット５は、ＬＥＤ５２として青色ＬＥＤチップを採用し、波長変換材料として黄色蛍光体を採用することにより、発光部５４から放射される光を白色光とすることができる。
【００５９】
波長変換材料は、黄色蛍光体の他に、例えば、赤色蛍光体を含んでもよい。要するに、波長変換材料は、黄色蛍光体と、赤色蛍光体と、を含んでもよい。赤色蛍光体としては、例えば、Ｅｕ2+付活窒化物蛍光体等を採用することができる。Ｅｕ2+付活窒化物蛍光体としては、例えば、（Ｓｒ，Ｃａ）ＡｌＳｉＮ3：Ｅｕ2+や、ＣａＡｌＳｉＮ3：Ｅｕ2+等が挙げられる。
【００６０】
ＬＥＤユニット５は、ＬＥＤ５２が紫外ＬＥＤチップ又は紫色ＬＥＤチップの場合、波長変換材料が、例えば、青色蛍光体と、緑色蛍光体と、赤色蛍光体と、を含むように構成してもよい。
【００６１】
ところで、上述の実装基板５１は、白色系のレジスト層を備えた構成とすることができる。レジスト層は、支持体５１ａにおいて、配線部が形成されている表面側で配線部が形成されていない部位等を覆っているのが好ましい。レジスト層の材料としては、例えば、白色レジストを採用することができる。白色レジストとしては、例えば、白色顔料を含有した樹脂を挙げることができる。白色顔料としては、例えば、硫酸バリウム（ＢａＳＯ４）、二酸化チタン（ＴｉＯ２）等が挙げられる。樹脂としては、例えば、シリコーン樹脂等が挙げられる。白色レジストとしては、例えば、株式会社朝日ラバーのシリコーン製の白色レジスト材である“ASA COLOR（登録商標） RESIST INK”等を採用することができる。レジスト層は、例えば、塗布法により形成することができる。
【００６２】
ＬＥＤモジュール５０は、白色系のレジスト層を備えていることにより、発光部５４から実装基板５１に入射する光を、レジスト層の表面で反射させやすくなる。これにより、ＬＥＤモジュール５０は、発光部５４から放射された光が実装基板５１に吸収されるのを抑制することが可能となる。よって、ＬＥＤモジュール５０は、外部への光取り出し効率の向上による光出力の向上を図ることが可能となる。
【００６３】
ＬＥＤ５２は、１つのパッケージに１つのＬＥＤチップを収納した表面実装型の白色ＬＥＤでもよいし、１つのパッケージに複数のＬＥＤチップを収納した表面実装型の白色ＬＥＤでもよい。ＬＥＤ５２は、砲弾型の白色ＬＥＤでもよい。ＬＥＤユニット５は、ＬＥＤ５２を表面実装型の白色ＬＥＤにより構成してもよい。
【００６４】
ＬＥＤユニット５は、発光部５４で発生した熱を放熱させるための金属製の放熱部材５７（図１１〜１５参照）と、ＬＥＤモジュール５０と放熱部材５７とを電気的に絶縁する絶縁部材５５（図１１、１３〜１５）と、を備えるのが好ましい。また、ＬＥＤユニット５は、ＬＥＤユニット５を器具本体１に取り付けるための取付部材５８を備えているのが好ましい。また、ＬＥＤユニット５は、ＬＥＤモジュール５０、絶縁部材５５及び放熱部材５７を覆うカバー５９を備えるのが好ましい。
【００６５】
放熱部材５７は、長尺の平板状に形成された主片５７ａ、主片５７ａの幅方向の両端部から延設され互いに対向する一対の側片５７ｂ、５７ｂと、を備える。放熱部材５７の材料である金属としては、例えば、アルミニウム、銅等を採用することができる。
【００６６】
放熱部材５７の一対の側片５７ｂ、５７ｂの各々には、カバー５９を取り付けるための突起５７ｃ、５７ｃが、互いに近づく向きに突出して設けられている。
【００６７】
また、放熱部材５７は、主片５５ａの幅方向の中央部に、主片５７ａの厚さ方向に突出する細長の突台部５７ｆが形成されている。ＬＥＤユニット５は、放熱部材５７を２つ備えており、第３方向における放熱部材５７の長さを、第３方向における放熱部材５７の長さの２分の１の長さよりも若干短い長さとしてある。
【００６８】
絶縁部材５５は、図１３〜１６に示すように、実装基板５１と放熱部材５７との間に介在する平板状の主片５５ａと、主片５５ａの幅方向の両端部それぞれから延設された一対の反射部５５ｂ、５５ｂと、を備える。反射部５５ｂは、発光部５４から側方へ放射された光を前方へ反射させるように形状を設計してある。一対の絶縁部材５５は、電気絶縁性を有する樹脂により形成されているのが好ましい。絶縁部材５５の材料として用いる樹脂は、例えば、白色のポリエチレンテレフタラートや、白色のフッ素系樹脂等を採用することができる。
【００６９】
絶縁部材５５は、各反射部５５ｂにおける主片５５ａ側の端部に、第１螺子（図示せず）を通すことが可能な孔５５ｅが形成されている。また、放熱部材５７において、絶縁部材５５の孔５５ｅに対向する部位には、第１螺子を通すことが可能な孔５７ｅが形成されている。よって、ＬＥＤユニット５は、絶縁部材５５の孔５５ｅと放熱部材５７の孔５７ｅとに通す第１螺子により絶縁部材５５を放熱部材５７に固定することができ、また、第１螺子の頭部の一部で実装基板５１を押さえて保持することができる。実装基板５１は、絶縁部材５５の主片５５ａに対して接着剤等により固定してもよい。
【００７０】
絶縁部材５５は、主片５５ａの幅方向の中央部に、放熱部材５７の突台部５７ｆが挿入される細長の孔５５ｆが形成されている。放熱部材５７における突台部５７ｆの突出高さは、主片５５ａの厚さと同じに設定してある。これにより、ＬＥＤユニット５は、放熱部材５７の突台部５７ｆの先端面を実装基板５１の裏面５１２における幅方向の中央部に面状に接触させることができる。よって、ＬＥＤユニット５は、実装基板５１の配線部と放熱部材５７との間の所望の沿面距離を確保しつつ放熱性を向上させることが可能となる。
【００７１】
また、絶縁部材５５は、放熱部材５７の主片５７ａの幅方向の両端部に形成されている貫通孔５７ｄに挿通される第１突部５５ｄが主片５７ａの裏面から突出して設けられている。これにより、絶縁部材５５は、放熱部材５７に対して位置決めされる。
【００７２】
カバー５９は、実装基板５１の表面５１１に対向する長尺の板状に形成された前壁５９ａと、実装基板５１の幅方向の両側に配置される一対の側壁５９ｂ、５９ｂと、実装基板５１の長手方向の両側に配置される一対の側壁５９ｄ、５９ｄと、を一体に備える。要するに、カバー５９は、全体として、長尺の箱状に形成されている。前壁５９ａは、第３方向に直交する断面において実装基板５１側とは反対側に凸となるように円弧状に湾曲した形状に形成されている。
【００７３】
カバー５９は、一対の側壁５９ｂ、５９ｂの互いの対向面に、放熱部材５７の突起５７ｃ、５７ｃが嵌る凹部５９ｃ、５９ｃが形成されている。これにより、ＬＥＤユニット５は、カバー５９を放熱部材５７に取り付けることができる。
【００７４】
カバー５９は、透光性を有する合成樹脂により形成されているのが好ましい。透光性を有する合成樹脂としては、例えば、アクリル樹脂やポリカーボネート樹脂等を採用することができる。
【００７５】
カバー５９は、前壁５９ａにおいて実装基板５１に近い第１面側に、複数の第１プリズムが第３方向に並んで形成され、実装基板５１から遠い第２面側に、複数の第２プリズムが第２方向に並んで形成されている。これにより、ＬＥＤユニット５は、このＬＥＤユニット５から出射させる光の指向性を弱めることが可能となる。要するに、カバー５９は、発光部５４からの光を拡散して出射するように構成されている。
【００７６】
ところで、絶縁部材５５は、主片５５ａの表面から突出しカバー５９を支持する第２突部５５ｃが設けられている。
【００７７】
また、絶縁部材５５は、反射部５５ｂの背面から突出する突起５５ｇ（図１４参照）が突出して設けられている。絶縁部材５５は、突起５５ｇが放熱部材５７の側片５７ｂに形成されている孔（図示せず）に嵌り込んでいる。これにより、これにより、ＬＥＤユニット５は、絶縁部材５５が放熱部材５７に固定されている。
【００７８】
取付部材５８は、長尺の平板状に形成された主片５８ａと、主片５８ａの幅方向の両端部から延設された一対の側片５８ｂ、５８ｂと、を備える。取付部材５８は、例えば、鋼板等により形成することができる。
【００７９】
取付部材５８は、放熱部材５７の一対の側片５７ｂ、５７ｂの間に配置されている。また、取付部材５８は、第２螺子（図示せず）により放熱部材５７に固定されている。なお、取付部材５８は、主片５８ａの長手方向の両端部に、螺子孔５８ｈを設けている。また、放熱部材５７は、主片５７ａの長手方向の両端部に、第２螺子を通す孔５７ｈを設けている。
【００８０】
ＬＥＤユニット５は、ＬＥＤモジュール５０と電源ユニット８とを電気的に接続するためのレセプタクルコネクタ６７と、レセプタクルコネクタ６７を取付部材５８に取り付ける取付金具６８と、を備えるのが好ましい。
【００８１】
レセプタクルコネクタ６７は、ＬＥＤモジュール５０のコネクタ５６に接続された電線（図示せず）が接続される端子部６７ａと、電源ユニット８側のプラグコネクタ（図示せず）が差し込まれるコネクタ部６７ｂと、を備える。表示装置１０ａは、ＬＥＤユニット５のレセプタクルコネクタ６７と、電源ユニット８から導出された電線に設けられたプラグコネクタと、を電気的且つ機械的に接続することにより、ＬＥＤユニット５と電源ユニット８とが電気的に接続されている。
【００８２】
取付金具６８は、例えば、鋼板等の金属板を曲げ加工することによって形成されている。取付金具６８は、レセプタクルコネクタ６７を保持する矩形枠状の保持枠６８ａと、取付部材５８の主片５８ａの裏面に接触するように配置され保持枠６８ａを支持する支持片５８ｂと、支持片５８ｂから支持片４９ｂの厚さ方向に突出して設けられた一対の固定片６８ｃ、６８ｃと、を備える。取付金具６８は、固定片６８ｃ、６８ｃが、取付部材５８の主片５８ａの幅方向の両側に形成されている一対の溝５８ｉ、５８ｉに挿通されている。また、取付金具６８は、支持片４９ｂに、第２螺子を通す孔６８ｄが形成されており、第２螺子により取付部材５８に固定されている。
【００８３】
カバー５９の材料としては、可視光に対する透過率の高い材料が好ましい。また、カバー５９の材料は、成形性が高い材料が好ましい。このため、カバー５９は、アクリル樹脂の成形品により構成してある。カバー５９の材料は、アクリル樹脂に限らず、例えば、ポリカーボネート樹脂、ガラス等を採用してもよい。
【００８４】
表示装置１０ａは、ＬＥＤユニット５を器具本体１に取り付ける部材として第１取付板８０を備えているのが好ましい。第１取付板８０は、長尺状の平板状に形成された取付片８１と、取付片８１の幅方向の両端縁それぞれから第１方向に延設された一対の支持片８２、８２と、を備えている。これにより、表示装置１０ａは、第１側壁１３と取付片８１との間に間隙を設けることができる。
【００８５】
第１取付板８０の材料は、耐食性の高い材料が好ましく、ステンレス鋼が好ましい。第１取付板８０の材料として採用するステンレス鋼としては、例えば、オーステナイト系ステンレス鋼が好ましく、ＳＵＳ３０４（１８Ｃｒ−８Ｎｉ）等を挙げることができる。
【００８６】
ＬＥＤユニット５は、複数の第３螺子（図示せず）により、第１取付板８０の取付片８１に取り付けられている。ここで、ＬＥＤユニット５の取付部材５８における主片５８ａには、複数の第３螺子（図示せず）それぞれが挿通される複数の孔５８ａａ（図１１〜１５参照）が形成されている。
【００８７】
反射板６ａは、図１、６、７及び１７に示すように、断面Ｖ字状に形成されている。反射板６ａの材料は、耐食性の高い材料が好ましく、ステンレス鋼が好ましい。反射板６ａの材料として採用するステンレス鋼としては、例えば、オーステナイト系ステンレス鋼が好ましく、ＳＵＳ３０４（１８Ｃｒ−８Ｎｉ）等を挙げることができる。
【００８８】
表示装置１０ａは、反射板６ａを器具本体１に取り付けるための部材として第２取付板７０を備えているのが好ましい。第２取付板７０の材料は、耐食性の高い材料が好ましく、ステンレス鋼が好ましい。第２取付板７０の材料として採用するステンレス鋼としては、例えば、オーステナイト系ステンレス鋼が好ましく、ＳＵＳ３０４（１８Ｃｒ−８Ｎｉ）等を挙げることができる。
【００８９】
反射板６ａは、複数の第４螺子６４（図６参照）により、第２取付板７０に取り付けられている。反射板６ａは、第３方向に沿った両端部それぞれから第３方向に突出する一対の固定片６２、６２を一体に備えている。各固定片６２には、第４螺子６４を通す孔６３（図１７参照）が形成されている。
【００９０】
反射板６ａは、ＬＥＤユニット５からの光を反射する反射面６１が、拡散反射性を有するように形成されているのが好ましい。これにより、表示装置１０ａは、均斉度をより向上させることが可能となる。反射板６ａの反射面６１の拡散反射性は、例えば、反射板６ａに、拡散反射性を有するコーティング層を塗布法等により形成することで付与してもよいし、反射板６ａの表面をブラスト加工等することで付与してもよい。
【００９１】
第１遮光板７ａ及び第２遮光板７ｂは、複数の第５螺子７６により、第１取付板８０の取付片８１に取り付けられている。これにより、表示装置１０ａは、ＬＥＤユニット５と第１遮光板７ａ及び第２遮光板７ｂとの相対的な位置精度を高めることが可能となる。
【００９２】
第１遮光板７ａ及び第２遮光板７ｂの材料は、耐食性の高い材料が好ましく、ステンレス鋼が好ましい。第１遮光板７ａ及び第２遮光板７ｂの材料として採用するステンレス鋼としては、例えば、オーステナイト系ステンレス鋼が好ましく、ＳＵＳ３０４（１８Ｃｒ−８Ｎｉ）等を挙げることができる。
【００９３】
第１遮光板７ａは、第３方向を長手方向とする長尺の板状に形成されており、幅方向の第１端部に凹凸７２ａが形成されている。ここで、第１遮光板７ａは、幅方向の第１端部が、ＬＥＤユニット５の前方に配置され、第２端部が、ＬＥＤユニット５の側方に配置されている。第１遮光板７ａは、幅方向の第１端部が、鋸歯状の形状に形成されることで凹凸７２ａが形成されているのが好ましい。また、第１遮光板７ａは、幅方向の第２端部が所定の第１角度θ１（図１８（ｄ）参照）で折り曲げられて第１固定片７３ａが形成されている。第１遮光板７ａは、図９及び１８に示すように、第１固定片７３ａに、第５螺子７６を通すＵ字状の溝７４ａが形成されている。凹凸７２ａの高低差は、６ｍｍに設定してあるが、一例であり、特に限定するものではない。第１所定角度θ１は、１３８°に設定してあるが、これに限らず、例えば、１３０〜１５０°の範囲で設定するのが好ましい。
【００９４】
第２遮光板７ｂは、第３方向を長手方向とする長尺の板状に形成されており、幅方向の第１端部に凹凸７２ｂが形成されている。ここで、第２遮光板７ｂは、幅方向の第１端部が、ＬＥＤユニット５の前方に配置され、第２端部が、ＬＥＤユニット５の側方に配置されている。第２遮光板７ｂは、幅方向の第１端部が、鋸歯状の形状に形成されることで凹凸７２ｂが形成されているのが好ましい。また、第２遮光板７ｂは、幅方向の第２端部が所定の第２角度θ２（図１９（ｂ）参照）で折り曲げられて第２固定片７３ｂが形成されている。第２遮光板７ｂは、図９及び１９に示すように、第２固定片７３ｂに、第５螺子７６を通すＵ字状の溝７４ｂが形成されている。凹凸７２ｂの高低差は、６ｍｍに設定してあるが、一例であり、特に限定するものではない。第２所定角度θ２は、１３８°に設定してあるが、これに限らず、例えば、１３０〜１５０°の範囲で設定するのが好ましい。第２所定角度θ２は、第１所定角度θ１と同じ角度であるのが好ましい。
【００９５】
（実施形態２）
以下では、本実施形態の表示装置１０ｂについて、図２０に基いて説明する。
【００９６】
表示装置１０ｂは、実施形態１の表示装置１０ａの反射板６ａの代わりに、反射板６ｂを備えている点が相違する。表示装置２０のその他の構成要素は、表示装置１０ａと同じなので、表示装置１０ａと同一の符号を付して説明を省略する。
【００９７】
反射板６ｂは、断面円弧状に形成されている。断面円弧状とは、第３方向に直交する断面の形状が円弧状であることを意味する。
【００９８】
図２０では、ＬＥＤユニット５からの光の進行経路を二点鎖線で模式的に示してある。
【００９９】
表示装置１０ｂは、反射板６ｂが、断面円弧状に形成されていることにより、均斉度を向上させることが可能となる。
【０１００】
（実施形態３）
以下では、本実施形態の表示装置１０ｃについて、図２１〜２３及び２４（ａ）に基づいて説明する。
【０１０１】
表示装置１０ｃは、実施形態１の表示装置１０ａの第２表示パネル４ｂを備えていない点等が相違する。表示装置１０ｃのその他の構成要素は、表示装置１０ａと同様なので、表示装置１０ａと同様の構成要素には表示装置１０ａと同一の符号を付して説明を省略する。
【０１０２】
表示装置１０ｃは、例えば、トンネル内の壁面に取り付けて誘導灯として利用することができる。表示装置１０ｃは、トンネル内の壁面に取り付けて利用するものに限らず、例えば、各種の施設の壁面等に取り付けて利用するものでもよい。なお、表示装置１０ｃは、トンネル内の煤煙や水、凍結防止剤等に起因した光学特性や電気特性の劣化を抑制するために、防噴流構造となっている。
【０１０３】
表示装置１０ｃは、器具本体１の第２壁１２に、２つの取付金具９２が固定されている。各取付金具９２は、細長い長方形状に形成されている。各取付金具９２は、器具本体１の第１方向の長さより長い。各取付金具９２は、その長手方向の両端部に、孔７３、７３が形成されている。表示装置１０ｃは、取付金具９２を備えていることにより、表示装置１０ｃを、トンネル内の壁面に、ボルト等によって固定できる。
【０１０４】
表示装置１０ｃは、表示ユニット２を第２位置に保持するためのステー９５の一端部を保持する第１保持金具９６が器具本体１に取り付けられ、ステー９５の他端部が引っ掛けられる引掛金具９７が表示ユニット２の枠体３に取り付けられているのが好ましい。
【０１０５】
第１表示パネル４ａとしては、例えば、図２４（ａ）に示す表示内容のものを用いることができる。第１表示パネル４ａは、図２４（ａ）の表示内容のものに限らず、例えば、図２４（ｂ）に示す表示内容のもの、図２４（ｃ）に示す表示内容のもの、図２４（ｄ）に示す表示内容のもの、等を採用することができるが、これらに限定するものではない。
【０１０６】
図２４（ｂ）では、トンネル内の道路に沿う方向の両方の向きについて矢印を表記し、更に、矢印で示した各向きにおける最も近い非常口までの距離（図示例では、距離の単位の「ｍ」のみ記載してある）を表記してある。図２４（ｂ）、図２４（ｃ）では、トンネル内の道路に沿う方向の両方の向きについて矢印を表記し、更に、矢印で示した各向きにおける最も近い非常口もしくはトンネル口までの距離（図示例では、距離の単位の「ｍ」のみ記載してある）を表記してある。
【０１０７】
表示装置１０ｃは、実施形態１の表示装置１０ａと同様、ＬＥＤユニット５と、反射板６ａと、を備えることにより、導光板を用いることなく、ＬＥＤユニット５からの光が第１表示パネル４ａに照射されるので、軽量化を図ることが可能である。また、表示装置１０ｃは、第１遮光板７ａを備え、第１遮光板７ａの第１端部に凹凸７２ａが形成されていることにより、均斉度の向上を図ることが可能となる。
【０１０８】
上述の実施形態１〜３等において説明した各図は、模式的なものであり、各構成要素の大きさや厚さそれぞれの比が、必ずしも実際のものの寸法比を反映しているとは限らない。また、実施形態１〜３等に記載した材料、数値等は、好ましいものを例示しているだけであり、それに限定するものではない。更に、本願発明は、その技術的思想の範囲を逸脱しない範囲で、構成に適宜変更を加えることが可能である。
【符号の説明】
【０１０９】
１  器具本体
２  表示ユニット
３  枠体
４ａ  第１表示パネル
４ｂ  第２表示パネル
５  ＬＥＤユニット
６ａ、６ｂ  反射板
７ａ  第１遮光板
７ｂ  第２遮光板
１０ａ、１０ｂ、１０ｃ  表示装置
１１  第１壁
１１ａ  第１開口部
１２  第２壁
１２ａ  第２開口部
５１  実装基板
５２  ＬＥＤ
６１  反射面
７２ａ  凹凸
７２ｂ  凹凸
【図１】
2015132769.tif 000003
【図２】
2015132769.tif 000004
【図３】
2015132769.tif 000005
【図４】
2015132769.tif 000006
【図５】
2015132769.tif 000007
【図６】
2015132769.tif 000008
【図７】
2015132769.tif 000009
【図８】
2015132769.tif 000010
【図９】
2015132769.tif 000011
【図１０】
2015132769.tif 000012
【図１１】
2015132769.tif 000013
【図１２】
2015132769.tif 000014
【図１３】
2015132769.tif 000015
【図１４】
2015132769.tif 000016
【図１５】
2015132769.tif 000017
【図１６】
2015132769.tif 000018
【図１７】
2015132769.tif 000019
【図１８】
2015132769.tif 000020
【図１９】
2015132769.tif 000021
【図２０】
2015132769.tif 000022
【図２１】
2015132769.tif 000023
【図２２】
2015132769.tif 000024
【図２３】
2015132769.tif 000025
【図２４】
2015132769.tif 000026
【図２５】
2015132769.tif 000027
【図２６】
2015132769.tif 000028
【図２７】
2015132769.tif 000029